(57)【要約】【課題】支持高さを調整可能なばね支持台を備えた圧縮機を提供する。【解決手段】密閉容器と、密閉容器内側の底部に配したばね支持台と該ばね支持台に下端側が取り付けられた支持ばねとを有し、ばね支持台は、密閉容器の底部と支持ばねの下端の間に一部又は全部が位置する台座部と、支持ばねの内側で支持ばねを支持するばね座とを有する密閉形圧縮機。【選択図】  図３
2019019702.tif 000002
【特許請求の範囲】
【請求項１】
密閉容器と、該密閉容器内側の底部に配したばね支持台と、該ばね支持台に下端側が取り付けられた支持ばねとを有し、
前記ばね支持台は、前記密閉容器の底部と前記支持ばねの下端との間に一部又は全部が位置する台座部と、前記支持ばねの内側で前記支持ばねを支持するばね座とを有する密閉形圧縮機。
【請求項２】
シリンダを含む構造を支持する前記ばね支持台及び前記支持ばねを複数有し、前記ばね支持台に取付けられた前記支持ばねの下端高さが少なくとも２種類あることを特徴とする請求項１に記載の密閉形圧縮機。
【請求項３】
前記シリンダに近い側の前記支持ばねの下端高さは、前記シリンダに遠い側の前記支持ばねの下端高さよりも高いことを特徴とする請求項２に記載の密閉形圧縮機。
【請求項４】
前記台座部と前記ばね座とは別体であることを特徴とする請求項１乃至３何れか一項に記載の密閉形圧縮機。
【請求項５】
前記台座部及び前記ばね座は、嵌合していることを特徴とする請求項４に記載の密閉型圧縮機。
【発明の詳細な説明】
【技術分野】
【０００１】
本発明は、密閉形圧縮機に関する。
【背景技術】
【０００２】
密閉容器内に収められ、往復動するピストンを有する密閉形圧縮機が広く知られている。このような圧縮機では、電動圧縮要素の振動を密閉容器に伝達しにくくするために、密閉容器内の電動圧縮要素をコイルばねで弾性支持するのが通常である。コイルばねの長さは、設計された電動圧縮要素の高さ寸法や電動圧縮要素の密閉容器底面からの高さ（支持高さ）等に制限される。すなわち、コイルばねの長さは、電動圧縮要素が密閉容器内に収まる寸法である必要がある。
【０００３】
特許文献１は、密閉容器の底部に固定溶接されたばね支持台により支持ばねを固定している。モータ圧縮機は、カプセル１の底と固定子３の下面との間に延びている４つの圧縮コイルばね１８によって支えられているとともに、カラー２１はばね１８の接触面を有している（明細書第４頁左欄第３０行〜第３８行、図３）。
【先行技術文献】
【特許文献】
【０００４】
【特許文献１】特公昭５８−２４６３３号公報
【発明の概要】
【発明が解決しようとする課題】
【０００５】
特許文献１の構成では、固定子３の高さ寸法が設計上変更された場合（特に長くなった場合）、ばね１８の長さを変更して密閉容器１に収まるように調整が必要となる。しかし、ばね１８の長さの変更は、ばね定数の変更を意味する。設計変更された固定子３の重量に対してばね１８のばね定数が低すぎると電動圧縮要素の振動が大きくなり輸送時に破損する虞がある。逆にばね定数が高すぎると弾性支持による減衰効果が低下し運転時の振動増加を招来する。加えて、固定子３の設計変更に対応できるように、ばね１８を多種類準備しておくことが必要となり、管理部品点数の増加を招き得る。
【０００６】
なお、ばね１８ではなくカプセル１を変更して調整しようとすると、固定子３の高さごとにカプセルを製造しなければならず、機種開発時の初期投資の増加とともに管理部品点数増加を将来する。
【課題を解決するための手段】
【０００７】
上記事情に鑑みてなされた本発明は、密閉容器と、該密閉容器内側の底部に配したばね支持台と、該ばね支持台に下端側が取り付けられた支持ばねとを有し、前記ばね支持台は、前記密閉容器の底部と前記支持ばねの下端の間に一部又は全部が位置する台座部と、前記支持ばねの内側で前記支持ばねを支持するばね座とを有する密閉形圧縮機である。
【図面の簡単な説明】
【０００８】
【図１】実施例１の密閉形圧縮機の側面断面図。
【図２】実施例１の支持ばね及びばね支持台を含む正面図。
【図３】実施例１のシリンダに近い側及び遠い側それぞれの支持ばね及びばね支持台を含む正面図。
【図４】実施例２の支持ばね及びばね支持台を含む正面図。
【発明を実施するための形態】
【０００９】
以下、本発明の実施例を添付の図面を参照しつつ説明する。
【実施例１】
【００１０】
図１は本実施例の密閉形圧縮機の側面断面図、図２は本実施例の支持ばね４及びばね支持台６を含む正面図、図３は本実施例のシリンダに近い側及び遠い側それぞれの支持ばね及びばね支持台を含む正面図である。
密閉型圧縮機は、密閉容器１と、密閉容器１内に収納された圧縮要素２、モータ部３、支持ばね４、ボルト５、ばね支持台６、シリンダ７、を有している。支持ばね４としては、上面視でシリンダ７に近い側のもの（図１、図３中では、左側の支持ばね）と、シリンダ７に遠い側のもの（図１、図３中では、右側の支持ばね）とが配されている。本実施例では、左右それぞれには、支持ばねが２つずつ設けられている。なお、図２では特に左側の支持ばね４及びばね支持台６を図示している。
【００１１】
ばね支持台６は、台座部９と、ばね座１０とを有する。支持ばね４は、上端がモータ部３の下側部分に挿入されたボルト５に支持され、下端がばね支持台６に支持されている。台座部９は、密閉容器の内側底面に例えば溶接によって固定されており、ばね座１０は台座部９の上方からボルト５に向かって延在している。
【００１２】
台座部９の径寸法は、支持ばね４の内径より大きく、好ましくは外径より大きい。これにより、支持ばね４の下端が台座部９の上端より下側に到達することを防止できる。ばね座１０は、上方側から下方側に向けて径が大きくなるテーパ形状であり、下方側の径寸法は、支持ばね４の内径と同一かやや大きい。これにより、支持ばね４の下端側は、ばね座１０にすきま嵌めされて取り付けられる。ばね座１０の上端はボルト５から離間している。また、支持ばね４の下端は、台座部９の上面より上側に位置しており、好ましくは上面に接触している。
【００１３】
このような構造により、密閉容器１の内側底面との間に、台座部９の寸法に応じた離間幅を確保することができるから、必要に応じた種類のばね支持台６を用意しておくことで、支持ばね４のばね定数や密閉容器１の寸法を変更することなく、モータ部３や圧縮要素２の設計変更に対応できる。
【００１４】
台座部９の下面と密閉容器１の内側底面とは溶接されている。ばね支持台６の材料としては、ＳＷＣＨ１０Ｒのような鋼材を採用できる。
【００１５】
以上のように構成された密閉形圧縮機では、ばね支持台６の台座部９寸法を独立して変更することができるため、モータ部３の高さが変更となった場合でも支持ばね４を変更することなく密閉容器１に圧縮要素２とモータ部３を納めることができる。
【００１６】
これにより、支持ばね４の変更に伴う振動の増加や支持ばね４の管理部品点数増加、密閉容器１の初期投資及び管理部品点数増加を抑制することができる。
【００１７】
また、モータ部３と圧縮要素２とを併せて考えると、これらはシリンダ７に近い側の領域がシリンダ７に遠い側の領域よりも重い。このため、これらを水平になるように支持すべく、本実施例のシリンダ７に近い側の領域のばね支持台６の台座部９の高さ寸法は、シリンダ７に遠い側の領域のばね支持台６の台座部１１の高さ寸法よりも長いものにされている。これにより、支持ばね４の下端位置を調整できるため、それぞれの支持ばね４のばね定数を互いに近しいものに維持することができる。このように、密閉型圧縮機は、２種類以上のばね支持台６を有することが好ましい。
【実施例２】
【００１８】
実施例２の構成は、次の点を除き実施例１と同様にできる。図４は、本実施例の支持ばね４及びばね支持台６を含む正面図である。ばね支持台６は、互いに別体の台座部９とばね座１０とを有する。
【００１９】
台座部９は、ばね座１０の凸部１０ａと嵌合可能な凹部９ａを有している。これにより、台座部９とばね座１０とが別体であっても両者が振動でずれることを抑制できるとともに、複数種類のばね支持台６を用意する際、ばね座１０を共通化できる。
台座部９が凸部を有しばね座１０が凹部を有しても良い。
【００２０】
実施例１と同様に、シリンダ７に近い側の領域の台座部９の高さ寸法を、シリンダ７に遠い側の領域の台座部９の高さ寸法より長くすることが好ましい。
【符号の説明】
【００２１】
１  密閉容器
２  圧縮要素
３  モータ部
４  支持ばね
５  ボルト
６  ばね支持台
７  シリンダ
８ａ底面部
８ｂ底面部
９，１１  台座部
１０  ばね座
【図１】
2019019702.tif 000003
【図２】
2019019702.tif 000004
【図３】
2019019702.tif 000005
【図４】
2019019702.tif 000006